【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
少なくとも１つのマグネットで形成される第１の磁極部と、
マグネットをそれぞれに含む少なくとも１つの立体で形成され、前記第１の磁極部との間に磁気ギャップを形成して前記第１の磁極部の上面および下面方向の空間を除いた空間に配置される第２の磁極部と、
前記第１の磁極部の下面と前記第２の磁極部の前記磁気ギャップとは反対側に位置する側面とを磁気的に結合して支持するヨークと、
前記第１の磁極部における上面方向の空間および前記第２の磁極部における下面方向の空間内に配置され、前記ヨークにその外周が全周に渡って支持された上下方向に振動可能な振動板と、
前記振動板に固着され、前記磁気ギャップ内に配置されるボイスコイルとを備え、
前記ボイスコイルは、その内周形状が前記第１の磁極部の外周形状より大きく、
前記第２の磁極部は、前記第１の磁極部および前記ボイスコイルの上面および下面方向の空間を除いた空間に配置され、
前記第１の磁極部に含まれるマグネットは振動板の振動方向に着磁され、
前記第２の磁極部に含まれるマグネットは振動板の振動方向に対して垂直な方向に、前記磁気ギャップ側が第１の磁極部上面の極と反対の極になるように着磁され、
前記第１の磁極部および前記第２の磁極部は、前記磁気ギャップ内において、前記ボイスコイルの内部に前記振動板の振動方向に対して略垂直方向の磁束を生成し、
前記振動板の振動方向における前記ボイスコイルの厚みの中心は、当該振動方向におけ
る前記第１の磁極部の厚みの中心と、当該振動方向における前記第２の磁極部の厚みの中
心との間に位置し、
前記振動板は、当該振動板を振動可能にするエッジ部を含み、前記エッジ部の少なくとも一部が前記第２の磁極部の下面と対向することを特徴とする、動電型電気音響変換器。
【請求項２】
前記振動板は、前記第１の磁極部の上面と対向する部位の形状が他の部位に対して相対的に凸形状で形成されることを特徴とする、請求項１に記載の動電型電気音響変換器。
【請求項３】
前記ボイスコイルは、前記振動板の上面側または下面側のいずれかに固着され、
前記振動板は、前記第１の磁極部の上面と対向する部位が前記ボイスコイルの下端より上方にあり、前記第２の磁極部の下面と対向する部位が前記ボイスコイルの上端より下方にある形状で形成されることを特徴とする、請求項１または２に記載の動電型電気音響変換器。
【請求項４】
前記第１の磁極部および前記第２の磁極部は、その中央に空隙が形成された環状体であり、
前記第１の磁極部は、前記第２の磁極部を構成する環状体空隙の上下方向空間内に配置されることを特徴とする、請求項１から３のいずれかに記載の動電型電気音響変換器。
【請求項５】
請求項１記載の動電型電気音響変換器が搭載された、電子機器。
【手続補正２】
【補正対象書類名】明細書
【補正対象項目名】０００２
【補正方法】変更
【補正の内容】
【０００２】
従来、携帯電話やＰＤＡなどをはじめとした電子機器において、薄型化、低消費電力化が進んでいる。それに伴い、これらに搭載される電気音響変換器においても、より小型化、より高効率化が望まれている。電気音響変換器において高効率化するための最も一般的な手法は、マグネットの体積を増加させることである。しかし、マグネットの体積が増加すると、電気音響変換器自体の体積が大きくなってしまう。そこで、小型化および高効率化を実現するために、図３９に示すような動電型電気音響変換器２００が提案されている（例えば、特許文献１参照）。なお、図３９は、従来における動電型電気音響変換器２００の構造断面図である。
【手続補正３】
【補正対象書類名】明細書
【補正対象項目名】００２４
【補正方法】変更
【補正の内容】
【００２４】
第１の発明に係る動電型電気音響変換器は、少なくとも１つのマグネットで形成される第１の磁極部と、マグネットをそれぞれに含む少なくとも１つの立体で形成され、第１の磁極部との間に磁気ギャップを形成して第１の磁極部の上面および下面方向の空間を除いた空間に配置される第２の磁極部と、第１の磁極部の下面と第２の磁極部の磁気ギャップとは反対側に位置する側面とを磁気的に結合して支持するヨークと、第１の磁極部における上面方向の空間および第２の磁極部における下面方向の空間内に配置され、ヨークにその外周が全周に渡って支持された上下方向に振動可能な振動板と、振動板に固着され、磁気ギャップ内に配置されるボイスコイルとを備え、ボイスコイルは、その内周形状が第１の磁極部の外周形状より大きく、第２の磁極部は、第１の磁極部およびボイスコイルの上面および下面方向の空間を除いた空間に配置され、第１の磁極部に含まれるマグネットは振動板の振動方向に着磁され、第２の磁極部に含まれるマグネットは振動板の振動方向に対して垂直な方向に、磁気ギャップ側が第１の磁極部上面の極と反対の極になるように着磁され、第１の磁極部および第２の磁極部は、磁気ギャップ内において、ボイスコイルの内部に振動板の振動方向に対して略垂直方向の磁束を生成し、振動板の振動方向におけるボイスコイルの厚みの中心は、当該振動方向における第１の磁極部の厚みの中心と、当該振動方向における第２の磁極部の厚みの中心との間に位置し、振動板は、当該振動板を振動可能にするエッジ部を含み、エッジ部の少なくとも一部が第２の磁極部の下面と対向することを特徴とする。
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】変更
【補正の内容】
【００２７】
第２の発明に係る動電型電気音響変換器は、上記第１の発明において、振動板は、第１の磁極部の上面と対向する部位の形状が他の部位に対して相対的に凸形状で形成されることを特徴とする。
【手続補正７】
【補正対象書類名】明細書
【補正対象項目名】００２８
【補正方法】変更
【補正の内容】
【００２８】
第３の発明に係る動電型電気音響変換器は、上記第１の発明において、ボイスコイルは、振動板の上面側または下面側のいずれかに固着され、振動板は、第１の磁極部の上面と対向する部位がボイスコイルの下端より上方にあり、第２の磁極部の下面と対向する部位がボイスコイルの上端より下方にある形状で形成されることを特徴とする。
【手続補正８】
【補正対象書類名】明細書
【補正対象項目名】００２９
【補正方法】変更
【補正の内容】
【００２９】
第４の発明に係る動電型電気音響変換器は、上記第１から第３のいずれかの発明において、第１の磁極部および第２の磁極部は、その中央に空隙が形成された環状体であり、第１の磁極部は、第２の磁極部を構成する環状体空隙の上下方向空間内に配置されることを特徴とする。
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】変更
【補正の内容】
【００３５】
第５の発明は、上記第１の発明に係る動電型電気音響変換器を電子機器に搭載することを特徴とする。
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】変更
【補正の内容】
【００３９】
上記第２および第３の発明によれば、振動板と第１の磁極部および第２の磁極部とが振動によって最も接触しにくい形状となる。したがって、振動板が第１の磁極部の方向に変位して当該第１の磁極部の上面と当接する第１の振幅と、振動板が第２の磁極部の方向に変位して当該第２の磁極部の下面と当接する第２の振幅とを、大きく確保することができる。つまり、例えばヨークが第１の磁極部の下面および第２の磁極部の上面をそれぞれ支持する場合、各面を支持するヨークの肉厚と、第１の磁極部および第２の磁極部の振動方向の長さと、上記第１および第２の振幅とを足した値が、動電型電気音響変換器の全体の厚さよりも大きくなり、より能率のよい、薄型の動電型電気音響変換器が実現できる。
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】削除
【補正の内容】
【手続補正２０】
【補正対象書類名】明細書
【補正対象項目名】００４２
【補正方法】削除
【補正の内容】
【手続補正２１】
【補正対象書類名】明細書
【補正対象項目名】００４３
【補正方法】削除
【補正の内容】
【手続補正２２】
【補正対象書類名】明細書
【補正対象項目名】００４４
【補正方法】削除
【補正の内容】
【手続補正２３】
【補正対象書類名】明細書
【補正対象項目名】００４５
【補正方法】削除
【補正の内容】
【手続補正２４】
【補正対象書類名】明細書
【補正対象項目名】０１４０
【補正方法】変更
【補正の内容】
【０１４０】
１、２、３、４、５、６、７  動電型電気音響変換器
１１、２１、３１  第１の磁極
１１ａ、１２ａ、２１ａ、２２ａ、３１ａ、３１ｃ、３２ａ、３２ｃ  マグネット
１１ｂ、１２ｂ、２１ｂ、２２ｂ、３１ｂ、３１ｄ、３２ｂ、３２ｄ  プレート
１２、２２、３２  第２の磁極
１３、２３、３３、４３、５３、６３、７３  ヨーク
１４、２４、３４、４４、５４、６４  ボイスコイル
１５、２５、３５、４５、５５、６５  振動板
１５ａ、２５ａ、３５ａ、４５ａ、５５ａ、６５ａ、６５ｂ エッジ部
４１、５１、６１  第１のマグネット
４２、５２、６２  第２のマグネット
８０  携帯電話
８１  薄型テレビ
８２  ドア
８３  窓部
８４  本体部